(57)【要約】【課題】図柄表示装置を支持する取付け枠体前面を利用して遊技球排出経路を形成する場合に、構成を小型、シンプル化して金型コストを低減する。【解決手段】取付け枠体２０と、取付け枠体の前面に形成されて遊技球排出経路４０を構成する第１の排出経路面４１と、第１の排出経路面との間に遊技球排出用の空所Ｓを形成する第２の排出経路面５１を有し、且つ取付け枠体に組み付けられる排出経路形成部材５０と、を備え、第１及び第２の排出経路面は、夫々遊技球排出経路の全内周長の略１／２に相当する内周長を備えている。【選択図】図８
2012130494.tif 000002
【特許請求の範囲】
【請求項１】
遊技盤の後面に組み付けられて図柄表示装置の画面を露出させる開口を備えた取付け枠体と、該取付け枠体の前面に形成される第１の排出経路面と、該第１の排出経路面との間に遊技球排出用の空所を形成する第２の排出経路面を有し、且つ該取付け枠体に組み付けられる排出経路形成部材と、を備え、
前記第１及び第２の排出経路面は、夫々前記遊技球排出経路の全内周長の略１／２に相当する内周長を備えていることを特徴とする遊技球排出経路の構造。
【請求項２】
前記遊技球排出経路は略四角柱体であり、前記第１及び第２の排出経路面は夫々断面Ｌ字状をなしていることを特徴とする請求項１に記載の遊技球排出経路の構造。
【請求項３】
前記遊技球排出用の空所は、前記遊技盤、或いは該遊技盤に搭載した役物に形成された入賞口と連通していることを特徴とする請求項１又は２に記載の遊技球排出経路の構造。
【請求項４】
請求項１、２、又は３の何れか一項に記載の遊技球排出経路の構造と、遊技盤と、を備えたことを特徴とする遊技盤ユニット。
【請求項５】
請求項４に記載の遊技球排出経路の構造を備えたことを特徴とするパチンコ遊技機。
【発明の詳細な説明】
【技術分野】
【０００１】
本発明は、遊技盤の背面側に配置される図柄表示装置の取付け枠体前面に形成される遊技球排出経路の構造、遊技盤ユニット、及びパチンコ遊技機に関する。
【背景技術】
【０００２】
パチンコ遊技機においては、遊技盤の盤面に入賞口、風車、可変表示装置、電飾装置等の各種盤面部品を設けて遊技内容の多様性を図り、遊技の進行中における入賞、その他の状況変化を契機として可動盤面部品を種々の方向に動作させることにより演出効果を高めている。
例えば、遊技盤に設けられた始動入賞口に遊技球が入賞すると、遊技盤中の可変表示装置に表示される図柄が変動を開始し、所定時間経過後に停止した図柄が予め定めた大当たり図柄となった場合に大当たり状態となり、遊技者が大量の出球を獲得できるようになっている。
更に遊技盤上には、特別遊技状態の一つである大当たり状態のときに開成状態になる開閉扉を有する大入賞口や、普通入賞口が設けられている。
これらの入賞口に入賞した遊技球は、遊技盤の背面側に形成された裏樋と称される遊技球排出経路を経て島設備側に排出される。
ところで、裏樋と称される遊技球排出経路は、遊技盤の裏面に対して別体構造の裏樋部材を取り付けることによって形成されたり（特許文献１．特開平１１−３１９２２８号公報）、遊技盤の背面側に配置される他の部材、例えば図柄表示装置の取付け枠体の前面に形成される（特許文献２．特開２００７−１３５６８７公報）。
【０００３】
図１２（ａ）及び（ｂ）は取付け枠体の前面に遊技球排出経路を形成する従来例を示す正面図、及びＡ−Ａ断面図である。
取付け枠体１００は樹脂製の略矩形枠体であり、図示しない図柄表示装置を取付け枠体の背面に添設固定した状態でその開口部１０１内に図柄表示装置の画面を位置させるように構成されている。開口部１０１の下方の前面には、破線で示すように遊技盤面に形成した各入賞口内に入賞した遊技球を案内する排出経路１０５が形成されている。この排出経路１０５は、同図（ｂ）に示すように取付け枠体１００の前面に突設された２個の側壁片１０６と、両側壁片の先端縁に裏面を当接されることによって両側壁片間に排出空間を形成する遊技盤１１０と、から構成されている。
この従来例にあっては、取付け枠体１００の前面に形成した２個の側壁片１０６の先端縁に遊技盤１１０の裏面を当接することによって、両側壁片間に排出空間を形成している。
しかし、遊技盤裏面と取付け枠体とを近接させることができないタイプ、換言すれば遊技盤と取付け枠体との間に他の部品を収容するスペースを広く確保する必要がある場合には、両側壁片１０６の先端部に遊技盤裏面を当接させることにより遊技球排出経路を形成することは不可能となる。
【０００４】
次に、図１３（ａ）及び（ｂ）は図柄表示装置（液晶表示装置）の取付け枠体の前面に遊技球排出経路を形成する場合の従来の構成例を示す正面図、及びＢ−Ｂ断面図である。
開口部１０１の下方の前面には、破線で示すように遊技盤面に形成した各入賞口内に入賞した遊技球を案内する排出経路１０５が形成されている。この排出経路１０５は、同図（ｂ）に示すように取付け枠体１００の前面に突設された２個の側壁片１０６と、両側壁片の先端縁に当接されることによって両側壁片間に排出空間を形成する裏樋形成部材１１５と、から構成されている。
しかし、遊技盤面上に配置されるギミック数が増大すると、取付け枠体前面に配置される部品数が増大して前後方向スペースを確保することが難しくなることにより、格別に裏樋形成部材１１５を遊技盤裏面と取付け枠体前面との間に配置することが困難となる。
特に、内壁が四角柱状をなす遊技球排出経路の４面のうちの３面を取付け枠体側に設け、他の一面を裏樋形成部材によって形成していたため、取付け枠体前面の構成が複雑化し、金型の複雑化によってコスト増を招いていた。
【先行技術文献】
【特許文献】
【０００５】
【特許文献１】特開平１１−３１９２２８号公報
【特許文献２】特開２００７−１３５６８７公報
【発明の概要】
【発明が解決しようとする課題】
【０００６】
このように図柄表示装置を支持する取付け枠体前面を利用して遊技球排出経路を形成する場合、従来は内壁が四角柱状をなす遊技球排出経路の４面のうちの３面を取付け枠体側に設け、他の一面を他の部材によって形成していた。このため、取付け枠体前面の形状が複雑化し、遊技球排出経路を設置するスペース確保の困難化、金型コストの増大といった問題が生じていた。
本発明は上記に鑑みてなされたものであり、図柄表示装置を支持する取付け枠体前面を利用して遊技球排出経路を形成する場合に、取付け枠体前面に遊技球排出経路の一部の全内周長の略１／２に相当する内周長を備えた排出経路面を設けると共に、排出経路形成部材の内周長も遊技球排出経路の一部の全内周長の略１／２に相当するように構成することにより、取付け枠体前面の構成をシンプル化して、遊技盤と取付け枠体との間の狭い残存スペース内に遊技球排出経路を設置することを可能とし、且つ金型コストを低減することができる遊技球排出経路の構造、遊技盤ユニット、及びパチンコ遊技機を提供することを目的としている。
【課題を解決するための手段】
【０００７】
上記目的を達成するため、請求項１の発明に係る遊技球排出経路の構造は、遊技盤の後面に組み付けられて図柄表示装置の画面を露出させる開口を備えた取付け枠体と、該取付け枠体の前面に形成される第１の排出経路面と、該第１の排出経路面との間に遊技球排出用の空所を形成する第２の排出経路面を有し、且つ該取付け枠体に組み付けられる排出経路形成部材と、を備え、前記第１及び第２の排出経路面は、夫々前記遊技球排出経路の全内周長の略１／２に相当する内周長を備えていることを特徴とする。
図柄表示装置を支持する取付け枠体前面と、該取付け枠体前面に取り付ける部材を利用して遊技球排出経路を形成する場合に、取付け枠体前面に遊技球排出経路の全内周長の略１／２に相当する内周長を備えた排出経路面を設けると共に、排出経路形成部材の内周長も遊技球排出経路の一部の全内周長の略１／２に相当するように構成することにより、構成をシンプル化して金型コストを低減することができる。また、取付け枠体前面に他の部品群が密集して搭載された場合には、レイアウト上遊技球排出経路を確保できにくくなるが、このように構成することにより、遊技球排出経路の占有スペースを可能な限り狭くしてコンパクト化し、遊技盤と取付け枠体との間の狭い残存スペース内に設置することができる。
【０００８】
請求項２の発明は、前記遊技球排出経路は略四角柱体であり、前記第１及び第２の排出経路面は夫々断面Ｌ字状をなしていることを特徴とする。
遊技球排出経路内の空所の形状は任意に選択可能であるが、四角柱形状とすることにより、各排出経路面の成形が容易となる。
請求項３の発明は、前記遊技球排出用の空所は、前記遊技盤、或いは該遊技盤に搭載した役物に形成された入賞口と連通していることを特徴とする。
遊技球排出経路を入賞口と連通させることにより、入賞球を島設備側へ導くための構成をシンプル化することができる。
【０００９】
請求項４の発明に係る遊技盤ユニットは、請求項１、２又は３の何れか一項に記載の遊技球排出経路の構造と、遊技盤と、を備えたことを特徴とする。
請求項５の発明に係るパチンコ遊技機は、請求項４の遊技球排出経路の構造を備えたことを特徴とする。
【発明の効果】
【００１０】
本発明では、図柄表示装置を支持する取付け枠体前面を利用して遊技球排出経路を形成する場合に、取付け枠体前面に遊技球排出経路の一部の全内周長の略１／２に相当する内周長を備えた排出経路面を設けると共に、排出経路形成部材の内周長も遊技球排出経路の一部の全内周長の略１／２に相当するように構成することにより、遊技球排出経路の占有スペースを小型化し、遊技盤と取付け枠体との間の狭い残存スペース内に設置することが可能となる。また、遊技球排出経路の構成をシンプル化して金型コストを低減することができる。
【図面の簡単な説明】
【００１１】
【図１】本発明の一実施形態に係る遊技球排出経路の構造を備えたパチンコ遊技機の一例を示した全体正面図である。
【図２】遊技盤ユニットの構成を示す正面図である。
【図３】本発明の遊技球排出経路を備えた取付け枠体の正面図である。
【図４】本実施形態に係るパチンコ遊技機に備えられている特別電動役物装置の構成を示した概略斜視図であり、（ａ）は外観斜視図、（ｂ）（ｃ）（ｄ）は内部斜視図である。
【図５】取付け枠体下部と遊技球排出経路を示す正面図である。
【図６】取付け枠体の正面側斜視図である。
【図７】図６の要部拡大図である。
【図８】遊技球排出経路の分解斜視図である。
【図９】遊技球排出経路の断面図（図５のＸ−Ｘ断面図）である。
【図１０】排出経路形成部材側の内面（第２の排出経路面）を円弧状に構成した構成例の説明図である。
【図１１】遊技球排出経路の他の構成例の説明図である。
【図１２】（ａ）及び（ｂ）は従来例に係る裏樋の構成を説明する正面図、及び要部断面図である。
【図１３】（ａ）及び（ｂ）は他の従来例に係る裏樋の構成を説明する正面図、及び要部断面図である。
【発明を実施するための形態】
【００１２】
以下、本発明を図面に示した実施の形態により詳細に説明する。
図１は本発明の一実施形態に係る遊技球排出経路の構造を備えたパチンコ遊技機の一例を示した全体正面図であり、図２遊技盤ユニットの構成を示す正面図であり、図３は本発明の遊技球排出経路を備えた取付け枠体の正面図である。
遊技盤１の前面側には、ガラス板を支持したガラス枠２が開閉可能に取り付けられている。また遊技盤１の下部には遊技球を貯留する受け皿部３と、受け皿部内の遊技球を発射する発射レバー４が設けられている。また、受け皿部３の上面には遊技機用ボタンスイッチや、遊技球の購入ボタン、購入取り消しボタン（何れも図示せず）が設けられている。
遊技盤１の裏面には、液晶画面、主制御基板とサブ制御基板等、遊技の進行、演出に関わる裏部品を組み付けた合成樹脂製の機構板（何れも図示せず）が開閉自在に装着されている。遊技盤１における遊技領域１ａの周囲には、発射レバー４を操作することにより発射装置から発射された遊技球を遊技領域１ａの上部に案内したり、アウト口１０に案内する外レールＲ１、及び内レールＲ２が設けられている。
【００１３】
遊技盤１のほぼ中央部に設けられた開口部（前部開口）１ｂ内には、中央に開口部５ａを有したセンター部材５が配置される。両開口部１ｂ、５ａは、連通状態にある。センター部材５の開口部５ａの内部には図柄表示装置６が配置されている。
図柄表示装置６は、例えば、液晶表示装置等の液晶表示パネルによって構成され、通常動作状態の時は、図示しない特別図柄画像が表示される。また、いわゆる特別遊技状態の時は、特別遊技状態であることを示す演出画像等が表示される。
センター部材５の背面側には、図柄表示装置６を支持するための取付け枠体２０が配置されて、遊技盤１の背面に固定されている。取付け枠体２０は、その開口部（後部開口）２０ａ内に図柄表示装置の画面を露出させた状態で図柄表示装置を支持する手段であり、取付け枠体の背面に図柄表示装置の前面外周を添設させた状態でビス止めにより固定する。
センター部材５の右下方には、図柄表示装置６の特別図柄を可変表示させるための可変入賞装置１１が設けられている。また、センター部材５の右側には、図示しない普通図柄表示装置に表示される普通図柄を作動させるためのゲート１２が設けられている。さらにセンター部材５の右下には、特別遊技状態の一つである大当たり状態のときに開成状態になる開閉扉を有する大入賞口１３が設けられている。
【００１４】
可変入賞装置１１は、図柄表示装置６を可変表示させるための左右一対の開閉爪（可動片）を有する電動式チューリップを備えて構成される。
また遊技盤１には普通入賞口１４やアウト口１０等が設けられていると共に、風車１５や多数の遊技釘１６が突設されている。遊技釘１６は、遊技球の落下速度を遅くすると共に、落下方向を複雑に変化させて遊技進行上の興趣を高めている。
図示しない普通図柄表示装置に表示される普通図柄は、１個または複数個の図柄を変動表示可能であり、普通図柄始動口としてのゲート１２が遊技球を検出することを条件に、その図柄が乱数制御等により所定時間可変して停止するようになっている。
図柄表示装置６に表示される特別図柄は、停止図柄が予め定められた図柄の組合せ、例えば同一図柄の組合せとなった場合に大当たり状態となるように構成されている。また特別図柄は可変入賞装置の電動式チューリップの開成動作により遊技球が誘導される下始動口（図示していない）において遊技球を検出することを条件に乱数制御等により表示がスクロールする等、所定の変動パターンで所定時間変動（可変）して図柄で停止するようになっている。その際、有効ライン上に２個の停止図柄が同一となった場合に、リーチ状態が発生し、このリーチ状態において、有効ライン上の最後の停止図柄が既に停止している２個の図柄と同一となった場合に大当たり状態が発生する。なお、特別図柄としては、数字図柄、アルファベット図柄、キャラクター図柄等が使用可能である。
【００１５】
図４は本実施形態に係るパチンコ遊技機に備えられている特別電動役物装置の構成を示した概略斜視図であり、（ａ）は外観斜視図、（ｂ）（ｃ）（ｄ）は内部斜視図である。
また、遊技盤１の右側領域であって可変入賞装置１１の上方には、第１変動入賞装置（以下、「特別電動役物装置」と表記する）３０が配置されている。この特別電動役物装置３０には、遊技球を当該特別電動役物装置３０内へ導入する導入部として、遊技球Ｂが入賞し難い閉状態から遊技球Ｂが入賞し易い開状態に変化可能な第１の可動部として羽根状の可動片３５を備えている。
特別電動役物装置（役物）３０は、ベース部材３１のベース面３１ａが遊技盤１の盤面と略同一平面となるように取り付けられている。
ベース部材３１の前面側には、図４（ａ）に示すような前面カバー３２が取り付けられている。ベース部材３１と前面カバー３２との間には、図４（ｂ）〜（ｄ）に示すように、特別電動役物装置３０内に遊技球を誘導するための可動片３５と、図４（ｄ）に示すように可動片３５が開状態のときに可動片３５を介して特別電動役物装置３０内に入球した遊技球Ｂを検知する入賞検知スイッチ３６が設けられている。
【００１６】
入賞検知スイッ３６の下方であってベース部材３１の前面には、開口部（以下、「Ｖゾーン」と称する）３４が形成されている。またＶゾーン３４の内部であって、その下方には、第２の可動部である進退部材３３が配置されている。進退部材３３は、その前方部分が遊技盤１の盤面と略同一面とされるベース部材３１のベース面３１ａより突出した突出位置と、Ｖゾーン３４内に退避した退避位置との間を進退自在に構成されている。
この場合、進退部材３３が前方へ突出した突出位置にあるときは、入賞検知スイッチを通過した遊技球がＶゾーン３４に入賞し易い状態になる。一方、進退部材３３がＶゾーン３４の内部（退避位置）にあるときは、入賞検知スイッチを通過した遊技球がＶゾーン３４に入賞し難い状態となる。
またＶゾーン３４の内部で且つ進退部材３３の下方には、Ｖゾーン３４に入賞した遊技球を検知するための図示しない特定領域スイッチが設けられている。
進退部材３３は、底板３３ａと壁部３３ｂとにより略凹形に形成されている。また進退部材３３の底板３３ａには、遊技球Ｂを特定領域スイッチが配置された下方へ誘導する貫通穴３３ｃが形成されている。
進退部材３３が退避している場合には遊技球Ｂは進退部材を通過して下方へ落下し、入球口３１ｂからベース部材内に入り込んで排出口３７から排出される。
ベース部材３１の底部には排出口３７が形成されており、特別電動役物装置３０内を通過してきた入賞球は排出口３７と連通接続された遊技球排出経路４０に排出される。排出口３７には入賞球が外部に排出されたことを検知する図示しない排出検知スイッチが設けられている。
【００１７】
次に、図５は取付け枠体下部と遊技球排出経路を示す正面図であり、図６は取付け枠体の正面側斜視図であり、図７は図６の要部拡大図であり、図８は遊技球排出経路の分解斜視図であり、図９は遊技球排出経路の断面図（図５のＸ−Ｘ断面図）である。
遊技球排出経路４０は、取付け枠体２０の前面に形成されて遊技球排出経路の一部を構成する第１の排出経路面４１と、第１の排出経路面４１との間に遊技球排出用の空所Ｓを形成するために取付け枠体に組み付けられる排出経路形成部材５０と、を備えている。
空所Ｓは、遊技盤１、或いは該遊技盤に搭載した役物（例えば、特別電動役物装置３０）に形成された入賞口と連通している。
第１の排出経路面４１は、遊技球排出経路の一部の全内周長（ｌ１＋ｌ２＋ｌ３＋ｌ４）の略１／２に相当する内周長（（ｌ１＋ｌ２）を備えている。
一方、排出経路形成部材５０の内周長（ｌ３＋ｌ４）も遊技球排出経路の一部の全内周長の略１／２に相当する。
本例に係る遊技球排出経路４０の空所Ｓは、遊技球を円滑に通過させることができる程度の内周長を有した四角形（正方形）であり、Ｌ字状に隣接する二辺４２ａ、４２ｂは取付け枠体２０側に一体化されている。二辺４２ａ、４２ｂの内面は、断面Ｌ字状の第１の排出経路面４１を構成している。
【００１８】
排出経路形成部材５０は、Ｌ字状に隣接する二辺５２ａ、５２ｂから成り、二辺５２ａ、５２ｂの内面は断面Ｌ字状の第２の排出経路面５１を構成している。
このように本発明の遊技球排出経路４０にあっては、取付け枠体２０の前面には、二辺４２ａ、４２ｂがＬ字状に交差することによって形成されたシンプル構造の第１の排出経路面４１を備えているので、取付け枠体を成形するための金型費用を低減することができる。
一方、排出経路形成部材５０についても二辺５２ａ、５２ｂがＬ字状に交差することによって形成されたシンプル構造の第２の排出経路面５１を備えているので、排出経路形成部材を成形するための金型費用を低減することができる。
このように本実施形態では、図柄表示装置を支持する取付け枠体前面を利用して遊技球排出経路を形成する場合に、内壁が四角柱状をなす遊技球排出経路の４面のうちの２面を取付け枠体側に設け、他の二面を他の部材によって形成することによって取付け枠体の構成をシンプル化して金型コストを低減することができる。
【００１９】
また、取付け枠体前面に他の部品群が密集して搭載された場合には、遊技盤と取付け枠体との間の狭い残存スペース内に遊技球排出経路の設置スペースを確保できにくくなるが、このようにコンパクトに構成することにより、遊技球排出経路の占有スペースを可能な限り狭くして設置スペースを確保することが可能となる。
遊技球排出経路内の空所の形状は任意に選択可能であるが、四角柱形状とすることにより、各排出経路面の成形が容易となる。
このような遊技球排出経路４０は、本例で説明した特別電動役物装置３０からの排出経路のみならず、大入賞口、普通入賞口等々の各種入賞口からの入賞球を受け入れて島設備に排出する遊技球排出経路に対しても適用することが可能であり、何れの場合においても取付け枠体２０，及び排出経路形成部材５０の構成をシンプル化することができる。
また、空間Ｓの断面形状は四角形である必要はなく、図１０に示したように排出経路形成部材５０側の内面（第２の排出経路面５１）を円弧状に構成してもよい。或いは、第１の排出経路面４１、及び第２の排出経路面５１を夫々半円形面とすることにより、空間Ｓを円筒形状としてもよい。
【００２０】
次に、図１１は本発明の遊技球排出経路４０の変形例であり、排出経路形成部材５０の排出経路面５１を、複数本の棒状片５５から成る格子状に構成した点が特徴的である。
このように構成することにより、遊技球排出経路４０内の視認性を高めてメンテナンスの作業性を高めることができる。
また、パチンコ遊技機の詳細な構成については図示説明していないが、本願発明の技術的範囲中に、装飾体の遊技球排出経路の構造を搭載した遊技盤（遊技盤ユニット）、及びこの遊技盤ユニットを搭載したパチンコ遊技機が含まれることに疑いがない。
【符号の説明】
【００２１】
１…遊技盤、１ａ…遊技領域、１ｂ…両開口部、２…ガラス枠、３…皿部、４…発射レバー、５…センター部材、５ａ…開口部、１０…アウト口、１１…可変入賞装置、１２…ゲート、１３…大入賞口、１４…普通入賞口、１５…風車、１６…遊技釘、２０…取付け枠体、３０…特別電動役物装置、３１…ベース部材、３１ａ…ベース面、３１ｂ…入球口、
３２…前面カバー、３３…進退部材、３３ａ…底板、３３ｂ…壁部、３３ｃ…貫通穴、
３４…Ｖゾーン、３５…可動片、３６…入賞検知スイッチ、３６…入賞検知スイッチ、
３７…排出口、４０…遊技球排出経路、４１…排出経路面、５０…排出経路形成部材、
５１…排出経路面、５５…棒状片
【図１】
2012130494.tif 000003
【図２】
2012130494.tif 000004
【図３】
2012130494.tif 000005
【図４】
2012130494.tif 000006
【図５】
2012130494.tif 000007
【図６】
2012130494.tif 000008
【図７】
2012130494.tif 000009
【図８】
2012130494.tif 000010
【図９】
2012130494.tif 000011
【図１０】
2012130494.tif 000012
【図１１】
2012130494.tif 000013
【図１２】
2012130494.tif 000014
【図１３】
2012130494.tif 000015